(57)【特許請求の範囲】
【請求項１】
表示部を有する表示板と、
駆動装置の駆動軸によって回転駆動される指針と、
前記表示板の前面側に配置され、前記表示板の非表示領域を覆う見返し部材と、
を備えた指針式計器装置において、
前記見返し部材が、前記表示部上に位置するように一体成形された装飾部材を備え、
前記装飾部材は、前記指針を組み付け可能なように設けられた切り欠き部を有することを特徴とする指針式計器装置。
【請求項２】
前記装飾部材は、複数の目盛部を有し、前記表示部の外周を囲うように形成されていることを特徴とする請求項１に記載の指針式計器装置。
【請求項３】
前記切り欠き部は、前記装飾部材の端部に設けられたことを特徴とする請求項１に記載の指針式計器装置。
【発明の詳細な説明】
【技術分野】
【０００１】
本発明は、車両用の指針式計器装置に関するものである。
【背景技術】
【０００２】
従来の指針式計器装置には、ステアリングの背面に設けられた表示画面に車両情報や操作画像などを表示する車両用計器として、引用文献１などが知られている。このような指針式計器装置は、文字板と、指針と、文字板の前面側に配置される見返し板と、前記見返し板の前面に配置され文字板と見返し板とを覆う透明な前面カバーとを備えている。
【先行技術文献】
【特許文献】
【０００３】
【特許文献１】特開２００１−２１３８８号公報
【発明の概要】
【発明が解決しようとする課題】
【０００４】
しかしながら、見返し板に目盛などからなる装飾部材と、さらに指針基部を覆う指針キャップとを一体成形する場合、指針の組み付け後に見返しを組み付ける方法が考えられるが、指針の先端が装飾部材と接触しないように組み付ける必要があるため、指針の組み付け工程が複雑になってしまうという問題点があった。
【課題を解決するための手段】
【０００５】
そこで本発明は、表示部を有する表示板と、駆動装置の駆動軸によって回転駆動される指針と、前記表示板の前面側に配置され、前記表示板の非表示領域を覆う見返し部材と、前記見返し部材の前面側に配置され、前記表示板の表示部及び見返し部材を覆う前面カバーと、を備えた指針式計器装置において、前記見返し部材が、前記表示部上に位置するように一体成形された装飾部材を備え、前記装飾部材は、前記指針を組み付け可能なように設けられた切り欠き部を有するものである。
【０００６】
また本発明は、前記装飾部材は、複数の目盛部を有し、前記表示部の外周を囲うように形成されているものである。
【０００７】
また本発明は、前記切り欠き部は、前記装飾部材の端部に設けられたものである。
【発明の効果】
【０００８】
本発明によれば、組み付け性が向上した指針式計器装置を提供することができる。
【図面の簡単な説明】
【０００９】
【図１】本発明における第１の実施形態を示す正面図。
【図２】同上のＡ−Ａ断面図。
【発明を実施するための形態】
【００１０】
以下、添付図面に基づき、本発明による指針式計器装置の実施形態を説明するが、図１及び図２は本発明の一実施形態として本発明を車両用コンビネーションメータからなる指針式計器装置に適用したものである。
【００１１】
本実施例によるコンビネーションメータは、回路基板１と、駆動軸２が前方に延びる駆動装置３と、駆動軸２にて回転駆動される指針４と、この指針４の背後に位置する表示板５と、この表示板５の前方側に配置され指針４及び後述する指標部とでなる表示部５１を露出する見返しパネル６と、この見返しパネル６の前方側に配置される透視パネル（図示せず）とを有する。
【００１２】
回路基板１は、例えばガラスエポキシ系基材に配線パターン（図示せず）を施した硬質回路基板からなり、光源Ｌと、例えば駆動装置３の駆動・制御を行う駆動手段（図示せず）や例えば抵抗、コンデンサ等の各種回路部品（図示せず）が前記配線パターンに導通接続されている。
【００１３】
駆動装置３は、可動磁石式計器またはステッピングモータからなり、駆動軸２が回路基板１を貫通するように、その主要部が回路基板１の背後に装着され、且つ半田付け等の適宜導通手段により配線パターンに電気接続される。
【００１４】
指針４は、透光性の合成樹脂からなり、駆動軸２の先端に連結され、その回転中心部には後述する見返しパネル６に一体成形された指針キャップ６１２によって覆われる。指針４の先端には、後述する指標部を指示する指針先端部４１を備えている。そしてこの指針４は、光源Ｌからの光を受けて発光する発光式指針である。
【００１５】
表示板５は、指針４先端側の回動軌道に沿って複数、円弧状に配列される数字，目盛からなる指標部５２と、これら指標部５２の背景となる地色部５３とを有する。
【００１６】
見返しパネル６は、表示部５１を露出すると共に所要部を遮蔽する合成樹脂枠体からなり、表示板５の非表示領域を覆うように表示板５の前方に配置されている。この見返しパネル６は、各表示部５１を露出する窓部Ｗを有し、この窓部Ｗは、表示部５１を取り巻くように筒部６１によって縁取られている。
【００１７】
また筒部６１は、表示部５１側の内縁側に向かって一体成形された目盛部６１０を有している。目盛部６１０は、表示板５を照明する光が透過できるように目盛窓が設けられ、表示板５の表面に重なるように配置されている。
【００１８】
目盛部６１０の両端部には、指針４の組み付け時に指針先端部４１が仮止めされる切り欠き部６１１が設けられている。
【００１９】
また見返しパネル６は、筒部６１の目盛部６１０よりも観察者側に、指針４の回転中心部を覆う指針キャップ６１２が一体成形されている。
【００２０】
このように構成された指針式計器装置は、見返しパネル６に設けられた切り欠き部６１１に、指針先端部４１が位置するように指針４を仮止めし、見返しパネル６を表示板５上に配置した後、指針先端部４１が目盛部６１０上に位置するとともに表示板５の０点位置に移動させることで、指針４の組み付けが完了し、指針先端部４１が目盛部６１０上を回動することができる。
【００２１】
このように表示部５１を有する表示板５と、駆動装置３の駆動軸２によって回転駆動される指針４と、表示板５の前面側に配置され、表示板５の非表示領域を覆う見返しパネル６と、を備えた指針式計器装置において、見返しパネル６が、表示部５１上に位置するように一体成形された目盛部６１０を備え、目盛部６１０は、指針４を組み付け可能なように設けられた切り欠き部６１１を有することによって、表示板５上に組み付けされた指針４が切り欠き部６１１で仮止めされることで、指針４が見返しパネル６や指針キャップ６１２によって遮られることがなく、組み付け性が向上した指針式計器装置を提供することができる。
【００２２】
また、切り欠き部６１１は、目盛部６１０の端部に設けられたことによって、指針４の打ち付け後に見返しパネル６を組み付けする場合でも、切り欠き部６１１によって指針４を目盛部の表示板５側に仮止めさせることができるため、指針４を避けながら見返しパネル６を組み付ける必要がなくなり、組み付け性が向上する。
【符号の説明】
【００２３】
１      回路基板
２      駆動軸
３      駆動装置
４      指針
５      表示板
６      見返しパネル（見返し部材）
４１    指針先端部
５１    表示部
５２    指標部
５３    地色部
６１    筒部
６１０  目盛部（装飾部材）
６１１  切り欠き部
６１２  指針キャップ
Ｌ      光源
【図１】
0005691825.tif 000002
【図２】
0005691825.tif 000003